(57)【要約】【課題】より好適なフラッシュ撮影を可能にする撮像装置を実現する。【解決手段】撮像装置１００において、各フラッシュ発光部１ａ、１ｂの発光に伴いカラースケールを撮像して得られた色データと、その色データの基準値との差分に対応する発光量データに応じた発光時間で各フラッシュ発光部１ａ、１ｂが発光することにより、各フラッシュ発光部１ａ、１ｂは、各発光部の個体差を相殺するように、ほぼ同等の発光量のフラッシュ光を発光することができるようになっており、撮像装置１００が、第１フラッシュ発光部１ａと第２フラッシュ発光部１ｂとを発光させて被写体を撮像する場合に、各フラッシュ発光部１ａ、１ｂからほぼ同等の発光量のフラッシュ光を被写体に向けて照射することができるので、撮像した画像内に露光量が異なる部分が生じにくくなり、より好適なフラッシュ撮影を行うことが可能になる。【選択図】図２
2009177308.tif 000002
【特許請求の範囲】
【請求項１】
被写体に向けてフラッシュ光を発光する複数のフラッシュ発光部と、
前記被写体の被写体像が結像される撮像素子と、
を備える撮像装置であって、
所定のカラースケールに向けて、前記複数のフラッシュ発光部を一つずつ規定時間発光させて、各フラッシュ発光部の発光に応じた前記カラースケールの画像を前記撮像素子で撮像する基準画像撮像手段と、
前記基準画像撮像手段により撮像された前記カラースケールの画像に関する色情報から各フラッシュ発光部ごとの色データを取得する色データ取得手段と、
前記色データ取得手段により取得された複数の色データと、色データに関する所定の基準値との差分に対応する各フラッシュ発光部ごとの発光量データを取得する発光量データ取得手段と、
前記発光量データ取得手段により取得された複数の発光量データを、予め定められている発光量−発光時間テーブルに基づき、各フラッシュ発光部ごとの発光時間に変換する発光時間変換手段と、
前記各フラッシュ発光部が、前記発光時間変換手段により得られたそのフラッシュ発光部に対応する発光時間の発光を行うように制御する発光制御手段と、
を備えることを特徴とする撮像装置。
【請求項２】
前記フラッシュ発光部の発光量の変化量に対応する色データの変化量である発光／色比率を取得する発光／色比率取得手段を備え、
前記発光量データ取得手段は、前記発光／色比率に基づき、前記色データに関する差分を発光量データに換算することを特徴とする請求項１に記載の撮像装置。
【請求項３】
前記発光時間変換手段は、得られた発光量データを補正時間に変換し、
前記発光制御手段は、前記規定時間に前記補正時間を加減した発光時間で、前記各フラッシュ発光部が発光を行うように制御することを特徴とする請求項１又は２に記載の撮像装置。
【請求項４】
前記色データ取得手段は、前記カラースケールの画像に関する色情報のうち、緑成分の色データを取得することを特徴とする請求項１〜３の何れか一項に記載の撮像装置。
【発明の詳細な説明】
【技術分野】
【０００１】
本発明は、撮像装置に関する。
【背景技術】
【０００２】
従来、２つのフラッシュ発光部を備える撮像装置が知られている（例えば、特許文献１参照。）。
そして、フラッシュ撮影時に、複数のフラッシュ発光部からのフラッシュ光を被写体にあてることによって、フラッシュ光による影を和らげたり、出難くしたりするなどの効果が得られるようになっており、特に、立体物の接写時にその影の影響を低減することに有効に作用する。
【特許文献１】特開平１１−１９６３２５号公報
【発明の開示】
【発明が解決しようとする課題】
【０００３】
しかしながら、複数のフラッシュ発光部を備える撮像装置の場合、個々のフラッシュ発光部に個体差があり、それぞれの発光量が異なると、フラッシュ撮影して撮像した画像内に露光量が異なる部分が生じてしまう問題があった。
【０００４】
本発明の目的は、より好適なフラッシュ撮影を可能にする撮像装置を提供することである。
【課題を解決するための手段】
【０００５】
以上の課題を解決するため、請求項１に記載の発明は、
被写体に向けてフラッシュ光を発光する複数のフラッシュ発光部と、
前記被写体の被写体像が結像される撮像素子と、
を備える撮像装置であって、
所定のカラースケールに向けて、前記複数のフラッシュ発光部を一つずつ規定時間発光させて、各フラッシュ発光部の発光に応じた前記カラースケールの画像を前記撮像素子で撮像する基準画像撮像手段と、
前記基準画像撮像手段により撮像された前記カラースケールの画像に関する色情報から各フラッシュ発光部ごとの色データを取得する色データ取得手段と、
前記色データ取得手段により取得された複数の色データと、色データに関する所定の基準値との差分に対応する各フラッシュ発光部ごとの発光量データを取得する発光量データ取得手段と、
前記発光量データ取得手段により取得された複数の発光量データを、予め定められている発光量−発光時間テーブルに基づき、各フラッシュ発光部ごとの発光時間に変換する発光時間変換手段と、
前記各フラッシュ発光部が、前記発光時間変換手段により得られたそのフラッシュ発光部に対応する発光時間の発光を行うように制御する発光制御手段と、
を備えることを特徴とする。
【０００６】
請求項２に記載の発明は、請求項１に記載の撮像装置において、
前記フラッシュ発光部の発光量の変化量に対応する色データの変化量である発光／色比率を取得する発光／色比率取得手段を備え、
前記発光量データ取得手段は、前記発光／色比率に基づき、前記色データに関する差分を発光量データに換算して取得することを特徴とする。
【０００７】
請求項３に記載の発明は、請求項１又は２に記載の撮像装置において、
前記発光時間変換手段は、予め定められている発光量−発光時間テーブルに基づいて得られた発光量データを補正時間に変換し、
前記発光制御手段は、前記規定時間に前記補正時間を加減した発光時間で、前記各フラッシュ発光部が発光を行うように制御することを特徴とする。
【０００８】
請求項４に記載の発明は、請求項１〜３の何れか一項に記載の撮像装置において、
前記色データ取得手段は、前記カラースケールの画像に関する色情報のうち、緑成分（Ｇｒ）の色データを取得することを特徴とする。
【発明の効果】
【０００９】
本発明によれば、撮像装置は、複数のフラッシュ発光部を一つずつ規定時間発光させ、各フラッシュ発光部の規定の発光に応じて所定のカラースケールを撮像素子で撮像した画像に関する色情報から、各フラッシュ発光部ごとの色データを得て、その色データと色データに関する所定の基準値との差分に対応する発光量データを取得する。そして、予め定められている発光量−発光時間テーブルに基づき、発光量データを発光時間に変換するようにして各フラッシュ発光部に対応する発光時間を取得し、各フラッシュ発光部がその発光時間の発光を行うように制御されるようになっている。
ここで、各フラッシュ発光部が、それぞれのフラッシュ発光部の発光に伴い得られた色データと、色データに関する所定の基準値との差分に対応する発光量データに応じた発光時間で発光することにより、複数のフラッシュ発光部の個体差を相殺するように、各フラッシュ発光部は、ほぼ同等の発光量のフラッシュ光を発光することができるようになっている。
つまり、撮像装置は、複数のフラッシュ発光部を発光させて被写体を撮像する場合に、各フラッシュ発光部からほぼ同等の発光量のフラッシュ光を被写体に向けて照射することができるので、撮像した画像内に露光量が異なる部分が生じにくくなっており、より好適なフラッシュ撮影を行うことができる。
特に、この撮像装置は、各フラッシュ発光部の発光量を同等のレベルとするために、各フラッシュ発光部をそれぞれ発光させて、基準となるカラースケールを撮像した際に得られた色データに基づいて発光時間の調整を行うようになっているので、フラッシュ発光部の発光量と発光時間とが線形でない場合であっても、各フラッシュ発光部の発光量をほぼ同じレベルにすることができる。
【発明を実施するための最良の形態】
【００１０】
以下、図を参照して本発明の実施の形態を詳細に説明する。
【００１１】
撮像装置１００は、図１、図２に示すように、被写体に向けてフラッシュ光を発光する２つのフラッシュ発光部１ａ、１ｂと、被写体の被写体像が結像される撮像素子２と、撮像素子２に被写体光（被写体像）を導くレンズ３と、被写体像などの画像データを記憶する外部メモリ４と、装置の各部を制御する制御部１０等を備えている。
【００１２】
２つのフラッシュ発光部である第１フラッシュ発光部１ａと第２フラッシュ発光部１ｂは、レンズ３を挟むように装置の前面に配設されている。例えば、レンズ３は装置前面の略中央に配されており、第１フラッシュ発光部１ａはレンズ３に対して左側、第２フラッシュ発光部１ｂはレンズ３に対して右側に設けられている。
なお、フラッシュ発光部は、所定のコンデンサに蓄えられた電気エネルギーが供給されることによって発光し、そのエネルギー供給時間に応じた発光時間を制御することにより発光量が調整されるようになっている。
【００１３】
撮像素子２は、例えば、ＣＣＤ型イメージセンサやＣＭＯＳ型イメージセンサであり、結像された被写体像などの画像に関するデータを制御部１０に出力する。
【００１４】
レンズ３は、図示しないレンズ移動機構によって撮像素子２に対して移動可能に備えられており、例えば、自動焦点合わせが行われるようになっている。
【００１５】
外部メモリ４は、例えば、装置本体に着脱自在に備えられるフラッシュメモリであり、撮像素子２から出力された画像データを記憶する。
【００１６】
制御部１０は、図２に示すように、ＣＰＵ１１と、ＲＡＭ１２と、ＲＯＭ１３を備えている。そして、制御部１０は、バスなどを介して、第１フラッシュ発光部１ａや第２フラッシュ発光部１ｂ、撮像素子２、外部メモリ４などと接続している。
【００１７】
ＣＰＵ１１は、例えば、ＲＯＭ１３に記憶されている撮像装置用の各種処理プログラムに従って、各種制御処理を行う。
【００１８】
ＲＡＭ１２は、例えば、ＣＰＵ１１によって実行される処理プログラムなどを展開するためのプログラム格納領域や、処理プログラムが実行される際に生じる処理結果などのデータを格納するデータ格納領域を備えている。
【００１９】
ＲＯＭ１３は、例えば、撮像装置１００で実行可能なシステムプログラムや、そのシステムプログラムで実行可能な各種処理プログラム、これら各種処理プログラムを実行する際に使用されるデータなどを記憶する。
具体的には、ＲＯＭ１３は、例えば、発光量−発光時間テーブル１３１と、基準画像撮像プログラム１３２と、色データ取得プログラム１３３と、発光／色比率取得プログラム１３４と、発光量データ取得プログラム１３５と、発光時間変換プログラム１３６と、発光制御プログラム１３７等を記憶している。
【００２０】
発光量−発光時間テーブル１３１は、例えば、図３に示すように、発光量データであるＥＶ値と発光時間とが対応付けられているテーブルである。
ここで、発光量−発光時間テーブル１３１の設定について説明する。
撮像装置におけるフラッシュ発光部には、適性露光させるための基準となるガイドナンバー（Ｇｎｏ）という数値が割り当てられます。
このガイドナンバー（Ｇｎｏ）は、撮像装置のしぼり（Ｆ）と、撮像装置のフラッシュ発光部から被写体までの距離（Ｌ）とによって、以下の式（１）で表すことができます。
Ｇｎｏ＝Ｆ×Ｌ  ・・・・・（１）
そして、例えば、フラッシュ発光部とガイドナンバー測定器との距離を１メートル（Ｆ＝１）として、様々な発光時間［μｓ］でフラッシュ発光部を発光させた際のガイドナンバー（Ｇｎｏ）を測定します。
この測定により得られたガイドナンバー（Ｇｎｏ）を以下の式（２）によって、発光時間に対応する発光量データであるＥＶ値として算出します（ａ：定数）。
ＥＶ＝ａ×log（Ｇｎｏ）２  ・・・・・（２）
こうして得られたＥＶ値をその発光時間に対応させたものが、発光量−発光時間テーブル１３１となります。
【００２１】
なお、図３に示す、発光量−発光時間テーブル１３１において、発光時間の「両側」という発光時間データが、本発明の撮像装置１００における第１フラッシュ発光部１ａと第２フラッシュ発光部１ｂを両方発光させて撮像を行う際に、各フラッシュ発光部（１ａ、１ｂ）の個体差による発光量の差を低減させるために用いるデータである。つまり、ＲＯＭ１３の各種プログラム（１３２〜１３６）を実行して設定する発光時間に関するデータは、この「両側」の発光時間データである。
また、「片側」という発光時間データは、各フラッシュ発光部を両方発光させる場合と同等の明るさが得られるように、一方のフラッシュ発光部を発光させるために用いるデータである。
【００２２】
基準画像撮像プログラム１３２は、所定のカラースケール（例えば、マクベスチャートのグレー）に向けて、第１フラッシュ発光部１ａと第２フラッシュ発光部１ｂを一つずつ規定時間発光させて、各フラッシュ発光部の発光に応じたカラースケールの画像を撮像素子２で撮像し、そのカラースケールの画像に関するデータを制御部１０に出力する機能をＣＰＵ１１に実現させるプログラムである。
つまり、ＣＰＵ１１が基準画像撮像プログラム１３２を実行することにより、第１フラッシュ発光部１ａと第２フラッシュ発光部１ｂをそれぞれ一方ずつ規定時間発光させて、規定の発光をカラースケールに向けて照射した際の、そのカラースケールの画像を撮像素子２に撮像させる基準画像撮像手段として機能する。
【００２３】
色データ取得プログラム１３３は、基準画像撮像手段としてのＣＰＵ１１により撮像されたカラースケールの画像に関する色情報から各フラッシュ発光部ごとの色データを取得する機能をＣＰＵ１１に実現させるプログラムである。
つまり、ＣＰＵ１１が色データ取得プログラム１３３を実行することにより、撮像素子２で撮像された各フラッシュ発光部の発光に応じたカラースケールの画像データにおける色情報から各フラッシュ発光部ごとの色データを取得する色データ取得手段として機能する。
特に、色データ取得手段としてのＣＰＵ１１は、カラースケールの画像に関する色情報のうち、緑成分（Ｇｒ）の色データを取得する。画像データの色情報における赤成分（Ｒ）、緑成分（Ｇｒ）、青成分（Ｂ）のうち、緑成分（Ｇｒ）が最も安定した成分であるので、緑成分（Ｇｒ）の色データを取得することが好ましい。
【００２４】
発光／色比率取得プログラム１３４は、フラッシュ発光部（１ａ、１ｂ）の発光量の変化量に対応する色データの変化量である発光／色比率を取得する機能をＣＰＵ１１に実現させるプログラムである。
つまり、ＣＰＵ１１が発光／色比率取得プログラム１３４を実行することにより、異なる発光量でフラッシュ発光部（１ａ、１ｂ）を発光させた際に得られる色データ（緑成分）の値の変化量に応じて発光／色比率を取得する発光／色比率取得手段として機能する。
具体的には、発光／色比率取得手段としてのＣＰＵ１１は、例えば、ＥＶ値に１［ＥＶ］の差をつけた発光による撮像を行い、それぞれの撮像により色データ（緑成分）の値として、Ｇｒ＝１７０とＧｒ＝１８０の値を得た場合、１［ＥＶ］当たり１０（Ｇｒ）の変化量があるので、１（Ｇｒ）当たり０．１［ＥＶ］の発光／色比率を得ることになる。
なお、発光に１［ＥＶ］の差があるか否かはスポットメータの測定により確認することができる。
【００２５】
発光量データ取得プログラム１３５は、色データ取得手段としてのＣＰＵ１１により取得された各フラッシュ発光部ごとの色データ（緑成分）と、その色データ（緑成分）に関する所定の基準値との差分に対応する各フラッシュ発光部ごとの発光量データを取得する機能をＣＰＵ１１に実現させるプログラムである。
つまり、ＣＰＵ１１が発光量データ取得プログラム１３５を実行することにより、発光／色比率取得手段としてのＣＰＵ１１により得られた発光／色比率に基づき、色データ取得手段としてのＣＰＵ１１により取得された各フラッシュ発光部ごとの色データと、色データに関する所定の基準値との差分に対応する各フラッシュ発光部ごとの発光量データを取得する発光量データ取得手段として機能する。
具体的には、色データ取得手段としてのＣＰＵ１１により取得された色データの緑成分の値が１７０（Ｇｒ）であって、その緑成分の基準値が１６５（Ｇｒ）である場合、その色データ（緑成分）の差分は−５（Ｇｒ）であるので、１（Ｇｒ）当たり０．１［ＥＶ］の発光／色比率に基づき、−５（Ｇｒ）の差分は、−０．５［ＥＶ］に相当し、発光量データとしてのＥＶ値は−０．５［ＥＶ］と得ることができる。
【００２６】
発光時間変換プログラム１３６は、発光量データ取得手段としてのＣＰＵ１１により取得された各フラッシュ発光部ごとの発光量データ（ＥＶ値）を、予め定められている発光量−発光時間テーブル１３１に基づき、各フラッシュ発光部ごとの発光時間に変換する機能をＣＰＵ１１に実現させるプログラムである。
つまり、ＣＰＵ１１が発光時間変換プログラム１３６を実行することにより、発光量−発光時間テーブル１３１に基づいて、取得された各フラッシュ発光部ごとの発光量データ（ＥＶ値）に対応する各フラッシュ発光部ごとの発光時間を得る発光時間変換手段として機能する。
具体的には、発光量データとして得られたＥＶ値が−０．５［ＥＶ］である場合、発光量−発光時間テーブル１３１に基づき、発光量データ（ＥＶ値）である−０．５［ＥＶ］が発光時間２２［μｓ］に変換されるように、−０．５［ＥＶ］に対応する２２［μｓ］が発光時間として得られる。
なお、各フラッシュ発光部１ａ、１ｂに対して設定された発光時間に関する設定データは、ＲＡＭ１２や所定の記憶部に記憶される。
【００２７】
発光制御プログラム１３７は、各フラッシュ発光部１ａ、１ｂが、発光時間変換手段としてのＣＰＵ１１により得られたそのフラッシュ発光部に対応する発光時間の発光を行うように制御する機能をＣＰＵ１１に実現させるプログラムである。
つまり、ＣＰＵ１１が発光制御プログラム１３７を実行することにより、発光時間変換手段としてのＣＰＵ１１により得られた各フラッシュ発光部１ａ、１ｂに対応する発光時間の発光を、各フラッシュ発光部１ａ、１ｂが行うように制御する発光制御手段として機能する。
【００２８】
なお、ここでは、発光時間変換手段としてのＣＰＵ１１により得られた発光時間に応じて、発光制御手段としてのＣＰＵ１１が、各フラッシュ発光部を発光させるとしたが、本発明はこれに限定されることなく、例えば、発光時間変換手段としてのＣＰＵ１１は、発光量データ取得手段としてのＣＰＵ１１により取得された発光量データ（ＥＶ値）を補正時間に変換し、発光制御手段としてのＣＰＵ１１は、基準画像撮像手段としてのＣＰＵ１１がカラースケールを撮像した際の発光した規定時間に、その補正時間を加減した発光時間で各フラッシュ発光部が発光を行うように制御するようにしてもよい。
【００２９】
次に、本発明に係る撮像装置１００における各フラッシュ発光部１ａ、１ｂの発光時間設定処理について、図４に示すフローチャートに基づき説明する。
【００３０】
まず、撮像装置１００における２つのフラッシュ発光部のうち、一方のフラッシュ発光部（例えば、第１フラッシュ発光部１ａ）を規定時間発光させて、その発光光をカラースケールに照射した際のカラースケールの画像を撮像する（ステップＳ１）。
なお、撮像装置１００によりカラースケールの画像を撮像する際、図示しないシャッターボタンが押下されることをトリガーに、ＣＰＵ１１は、フラッシュ発光部を発光させてカラースケールの画像を撮像する。
【００３１】
次いで、ＣＰＵ１１は、撮像したカラースケールの画像データにおける色情報のうち、緑成分（Ｇｒ）の色データを取得する（ステップＳ２）。
【００３２】
次いで、ＣＰＵ１１は、取得した色データの緑成分の値（Ｇｒ値）と、その色データの基準値との差分を算出する（ステップＳ３）。
例えば、ＣＰＵ１１により取得された色データの緑成分の値が１７０（Ｇｒ）であり、その色データの緑成分の基準値が１６５（Ｇｒ）である場合、その色データ（緑成分）の差分は−５（Ｇｒ）と算出され得られる。
【００３３】
次いで、ＣＰＵ１１は、得られた色データの差分に相当する発光量データとしてのＥＶ値を取得する（ステップＳ４）。
例えば、発光／色比率取得手段としてのＣＰＵ１１により得られた発光／色比率が、１（Ｇｒ）当たり０．１［ＥＶ］である場合、色データ（緑成分）の差分−５（Ｇｒ）は、−０．５［ＥＶ］に相当し、発光量データとしてのＥＶ値は−０．５［ＥＶ］と取得される。
【００３４】
次いで、ＣＰＵ１１は、取得した発光量データとしてのＥＶ値を、発光量−発光時間テーブル１３１に基づき、発光時間に変換し、得られた発光時間に関する設定データを所定の記憶部に記憶する（ステップＳ５）。
例えば、取得したＥＶ値が−０．５［ＥＶ］である場合、発光量−発光時間テーブル１３１に基づき、そのＥＶ値は−０．５［ＥＶ］に対応する発光時間２２［μｓ］に変換される。そして、得られた発光時間２２［μｓ］が、例えば、第１フラッシュ発光部１ａの発光を制御するための設定データとして記憶される。
【００３５】
そして、ＣＰＵ１１は、全てのフラッシュ発光部（本実施形態の場合、２つのフラッシュ発光部）の発光時間に関する設定データが記憶されたか否か判断する（ステップＳ６）。
ＣＰＵ１１が、全てのフラッシュ発光部の発光時間に関する設定データを記憶していないと判断すると（ステップＳ６；Ｎｏ）、ＣＰＵ１１は、発光時間設定のために発光させるフラッシュ発光部の切り替えを行う。例えば、第１フラッシュ発光部１ａの発光時間に関するデータを記憶する設定が行われた後に、第２フラッシュ発光部１ｂの設定を行うように切り替えて（ステップＳ７）、ステップＳ１に戻る。
なお、第１フラッシュ発光部１ａの設定後における、第２フラッシュ発光部１ｂに対する設定を行うステップＳ１〜Ｓ５において、第２フラッシュ発光部１ｂに関する発光量データとしてのＥＶ値が０．５［ＥＶ］と得られた場合、発光量−発光時間テーブル１３１に基づき、そのＥＶ値は０．５［ＥＶ］に対応する発光時間２８［μｓ］に変換されて、その発光時間２８［μｓ］が、例えば、第２フラッシュ発光部１ｂの発光を制御するためのデータとして記憶されて設定される。
【００３６】
一方、ＣＰＵ１１が、全てのフラッシュ発光部の発光時間に関する設定データを記憶したと判断すると（ステップＳ６；Ｙｅｓ）、この発光時間設定処理を終了する。
【００３７】
そして、このような発光時間設定処理が行われた撮像装置１００において、ユーザが所望する被写体の撮像を行う際に、第１フラッシュ発光部１ａが発光時間２２［μｓ］の発光を行い、第２のフラッシュ発光部１ｂが発光時間２８［μｓ］の発光を行うように、発光制御手段としてのＣＰＵ１１に制御されて、各フラッシュ発光部１ａ、１ｂからほぼ同等の発光量のフラッシュ光が被写体に向けて照射されることとなる。
つまり、発光出力に個体差がある第１フラッシュ発光部１ａと第２フラッシュ発光部１ｂであっても、それぞれのフラッシュ発光部を発光させて、基準となるカラースケールを撮像素子２で撮像した際に得られた色データ（緑成分）に基づいて、発光時間の調整を行うことによって、各フラッシュ発光部１ａ、１ｂがほぼ同等の発光量のフラッシュ光を出力することが可能になる。
【００３８】
このように、本発明に係る撮像装置１００は、２つのフラッシュ発光部である第１フラッシュ発光部１ａと第２フラッシュ発光部１ｂを発光させて、被写体を撮像する場合に、各フラッシュ発光部１ａ、１ｂからほぼ同等の発光量のフラッシュ光を被写体に向けて照射することができるので、撮像した画像内に露光量が異なる部分が生じにくく、より好適なフラッシュ撮影を行うことができる。
特に、この撮像装置１００は、各フラッシュ発光部１ａ、１ｂの発光量を同等のレベルとするために、各フラッシュ発光部１ａ、１ｂをそれぞれ発光させて、基準となるカラースケールを撮像した際に得られた色データ（緑成分）に基づいて発光時間の調整を行うようになっているので、フラッシュ発光部の発光量と発光時間とが線形でない場合であっても、各フラッシュ発光部１ａ、１ｂの発光量をほぼ同じレベルにすることができる。
【００３９】
なお、以上の実施の形態においては、２つのフラッシュ発光部を備える撮像装置１００を例に挙げて説明したが、本発明はこれに限定されるものではなく、３つ以上のフラッシュ発光部を備える撮像装置に、本発明を適用してもよい。
そして、３つ以上のフラッシュ発光部の全てが、同レベルの発光量のフラッシュ光を出力可能とすることは勿論のこと、全てのフラッシュ発光部が、同レベルの発光量のフラッシュ光を出力することに本発明は限定されず、複数のフラッシュ発光部のうち、少なくとも２つのフラッシュ発光部が同レベルの発光量のフラッシュ光を出力するようにしてもよい。
例えば、レンズを中央にして上下左右の配置に４つのフラッシュ発光部を備える撮像装置の場合、上下一対とするフラッシュ発光部の組み合わせや、左右一対とするフラッシュ発光部の組み合わせの発光を可能にして、上下一対の２つのフラッシュ発光部が同レベルの発光量のフラッシュ光を出力したり、左右一対の２つのフラッシュ発光部が同レベルの発光量のフラッシュ光を出力したりするようにしてもよい。
このとき、上下１対の２つのフラッシュ発光部と、左右１対の２つのフラッシュ発光部の全てが同レベルの発光量のフラッシュ光となるように、いずれも同じ基準値で発光時間の調整を行ってよいし、また少なくとも上下１対の２つのフラッシュ発光部と左右１対の２つのフラッシュ発光部が同レベルとなるように、上下１対用の基準値と左右１対用の基準値をそれぞれ設定し、発光時間の調整を行うようにしてもよい。
【００４０】
また、その他、具体的な細部構造等についても適宜に変更可能であることは勿論である。
【図面の簡単な説明】
【００４１】
【図１】本発明に係る撮像装置の外観概略を示す斜視図である。
【図２】本発明に係る撮像装置の要部構成を示すブロック図である。
【図３】発光量−発光時間テーブルの一例を示す説明図である。
【図４】撮像装置におけるフラッシュ発光部の発光時間設定処理を示すフローチャートである。
【符号の説明】
【００４２】
１ａ    第１フラッシュ発光部
１ｂ    第２フラッシュ発光部
２      撮像素子
３      レンズ
４      外部メモリ
１０    制御部
１１    ＣＰＵ（基準画像撮像手段、色データ取得手段、発光／色比率取得手段、発光量データ取得手段、発光時間変換手段、発光制御手段）
１２    ＲＡＭ
１３    ＲＯＭ
１３１  発光量−発光時間テーブル
１３２  基準画像撮像プログラム
１３３  色データ取得プログラム
１３４  発光／色比率取得プログラム
１３５  発光量データ取得プログラム
１３６  発光時間変換プログラム
１３７  発光制御プログラム
１００  撮像装置
【図１】
2009177308.tif 000003
【図２】
2009177308.tif 000004
【図３】
2009177308.tif 000005
【図４】
2009177308.tif 000006